(57)【要約】【課題】出力制限時において出力制限の対象に該当する所定の発電システムにより発電された電力を適切に活用する蓄電システムを提供する。【解決手段】蓄電システムは、蓄電池と、検査部とを有する。検査部は、電力系統側への出力が制限された出力制限時において出力制限の対象に該当する所定の発電システムにより発電された電力により、蓄電池を検査する。例えば、蓄電池は、検査開始予定時前の所定の期間に電力を放電し、残量がなくなるように制御される。例えば、検査部は、所定の発電システムにより発電された電力の使用が少ない時間帯に、蓄電池を検査する。【選択図】図３
2017063552.tif 000002
【特許請求の範囲】
【請求項１】
蓄電池と；
電力系統側への出力が制限された出力制限時において前記出力制限の対象に該当する所定の発電システムにより発電された電力により、前記蓄電池を検査する検査部と；
を具備することを特徴とする蓄電システム。
【請求項２】
前記蓄電池は、検査開始予定時前の所定の期間に電力を放電し、残量がなくなるように制御される
ことを特徴とする請求項１に記載の蓄電システム。
【請求項３】
前記検査部は、前記所定の発電システムにより発電された電力の使用が少ない時間帯に、前記蓄電池を検査する
ことを特徴とする請求項１または請求項２に記載の蓄電システム。
【請求項４】
前記検査部は、前記所定の発電システムにより発電された電力における余剰電力により、前記蓄電池を検査する
ことを特徴とする請求項１〜３のいずれか１項に記載の蓄電システム。
【請求項５】
前記検査部は、前記蓄電池が用いられる電力供給に関する情報を用いた学習に基づいて決定される電力により前記蓄電池を検査する
ことを特徴とする請求項１〜４のいずれか１項に記載の蓄電システム。
【発明の詳細な説明】
【技術分野】
【０００１】
本発明の実施形態は、蓄電システムに関する。
【背景技術】
【０００２】
従来、再生可能エネルギを用いた発電、例えば太陽光発電に関する技術が提供されている。
【先行技術文献】
【特許文献】
【０００３】
【非特許文献１】「東芝ライテック株式会社｜東芝  電設資材2015-2016」、［online］、［平成２７年９月１６日検索］、インターネット<ＵＲＬ：http://page.cextension.jp/c3900/pageview/pageview.html>
【発明の概要】
【発明が解決しようとする課題】
【０００４】
ところで、上記のような発電においては、出力制限に設定された期間において発電した電力は売電することはできない。例えば、出力制限に設定された期間において出力制限の対象に該当する所定の発電システムは、発電した電力を電力系統へ売電することができず、所定の発電システムが設けられた需要家側で消費することとなる。このような出力制限時において出力制限の対象に該当する所定の発電システムにより発電された電力は、適切に活用することが難しいといった課題がある。
【０００５】
本発明は、出力制限時において出力制限の対象に該当する所定の発電システムにより発電された電力を適切に活用する蓄電システムを提供することを目的とする。
【課題を解決するための手段】
【０００６】
本実施形態の蓄電システムは、蓄電池と、検査部とを具備する。検査部は、電力系統側への出力が制限された出力制限時において出力制限の対象に該当する所定の発電システムにより発電された電力により、蓄電池を検査する。
【発明の効果】
【０００７】
本発明によれば、出力制限時において出力制限の対象に該当する所定の発電システムにより発電された電力を適切に活用することができる。
【図面の簡単な説明】
【０００８】
【図１】図１は、実施形態に係る太陽光発電システムの動作の一例を示す図である。
【図２】図２は、実施形態に係る太陽光発電システムの動作の一例を示す図である。
【図３】図３は、実施形態に係る太陽光発電システムの動作の一例を示す図である。
【図４】図４は、実施形態に係るパワーコンディショナの構成を示すブロック図である。
【図５】図５は、実施形態に係る検査情報記憶部に記憶される情報の一例を示す図である。
【図６】図６は、実施形態に係る出力制限期間に応じた蓄電池の放電の一例を示す図である。
【図７】図７は、実施形態に係る低消費電力期間に応じた蓄電池の放電の一例を示す図である。
【図８】図８は、実施形態に係る消費電力に応じた蓄電池への電力供給の一例を示す図である。
【発明を実施するための形態】
【０００９】
以下で説明する実施形態に係る蓄電システム（実施形態においては「太陽光発電システム１」。以下同じ）は、蓄電池５０と、電力系統側への出力が制限された出力制限時において出力制限の対象に該当する所定の発電システム（実施形態においては「太陽光発電システム１」。以下同じ）により発電された電力により、蓄電池５０を検査する検査部１３２とを具備する。
【００１０】
また、以下で説明する実施形態及に係る蓄電システムにおいて、蓄電池５０は、検査開始予定時前の所定の期間に電力を放電し、残量がなくなるように制御される。
【００１１】
また、以下で説明する実施形態に係る蓄電システムにおいて、検査部１３２は、所定の発電システムにより発電された電力の使用が少ない時間帯に、蓄電池５０を検査する。
【００１２】
また、以下で説明する実施形態に係る蓄電システムにおいて、検査部１３２は、所定の発電システムにより発電された電力における余剰電力により、蓄電池を検査する。
【００１３】
また、以下で説明する実施形態に係る蓄電システムにおいて、検査部１３２は、蓄電池５０が用いられる電力供給に関する情報を用いた学習に基づいて決定される電力により蓄電池５０を検査する。
【００１４】
［実施形態］
まず、本発明の実施形態に係る太陽光発電システム１における出力制限時の蓄電池５０の検査を図１〜図３を用いて説明する。図１〜図３は、実施形態に係る太陽光発電システムの動作の一例を示す図である。
【００１５】
［太陽光発電システム］
図１〜図３の例では、太陽光発電システム１は、ユーザ（需要家）の住宅ＨＭに設けられ、例えば屋根に設置した太陽光パネルＰＮにより生成される電力を、住宅ＨＭで消費したり、蓄電池５０に蓄えたり、所定の電力系統ＣＰに買い取ってもらったりする。すなわち、図１〜図３に示す太陽光発電システム１は、所定の発電システムと蓄電システムとを含んだシステムである。なお、所定の発電システムと蓄電システムとは別システムであってもよい。
【００１６】
また、ここでいう出力制限とは、太陽光発電システム１側から電力系統ＣＰ側への電力の供給が制限、すなわち電力系統ＣＰに買い取ってもらう電力量に制限が加えられた状態をいう。なお、図１〜図３に示す例において、太陽光発電システム１は、太陽光発電システム１自身がいつ出力制限の対象となるかに関する情報を取得しているものとする。すなわち、太陽光発電システム１は、電力系統ＣＰ側への出力が制限された出力制限の対象に該当する期間に関する情報に基づいて動作可能であるものとする。
【００１７】
図１〜図３に示すように、太陽光発電システム１は、太陽光パネルＰＮと、接続箱ＢＸと、パワーコンディショナ１００と、出力部２１０を有するコントローラ２００と、蓄電池５０と、分電盤ＤＰと、電力メータＭＴとを具備する。また、図１に示す太陽光発電システム１において、コントローラ２００（またはパワーコンディショナ１００）は、インターネットに接続可能であって、太陽光発電システム１外の各種情報処理装置との間で情報の送受信が可能であってもよい。
【００１８】
太陽光パネルＰＮは、例えば、太陽電池素子（セル）を必要枚数配列し、樹脂や強化ガラスなどによりパッケージ化した太陽電池モジュールであり、ソーラーパネルとも呼ばれる。なお、太陽光パネルＰＮに用いられるセルは、どのようなセルであってもよい。例えば、太陽光パネルＰＮに用いられるセルは、シリコン系のセルや化合物系のセルや有機系のセルなど、目的に応じて種々のセルが適宜選択されてもよい。
【００１９】
接続箱ＢＸは、例えば、太陽光パネルＰＮで発電した電力を集める装置である。例えば、接続箱ＢＸは、太陽光パネルＰＮからの複数の配線を１つ集約し、パワーコンディショナ１００に送信する。なお、接続箱ＢＸは、パワーコンディショナ１００と一体であってもよい。
【００２０】
パワーコンディショナ１００は、パワコン、ＰＣＳ（Power  Conditioning  System）とも称される装置である。また、パワーコンディショナ１００は、太陽光パネルＰＮから接続箱ＢＸを経由して送信される電力を、住宅ＨＭ内の電気機器ＬＤなどで利用可能にする装置である。例えば、パワーコンディショナ１００は、太陽光パネルＰＮから接続箱ＢＸを経由して送信される直流電力を交流電力に変換する。また、例えば、パワーコンディショナ１００は、交流電力に変換した後、電力を住宅ＨＭ内での利用や、蓄電池５０への充電や、電力系統ＣＰへの売電などに対応する出力に調整する。なお、本実施形態においては、パワーコンディショナ１００が蓄電池５０を検査する機能を有するものとして説明する。
【００２１】
コントローラ２００は、太陽光発電システム１における各種情報をユーザに通知したり、太陽光発電システム１に対するユーザの操作を受け付けたりする。また、コントローラ２００は、パワーコンディショナ１００と情報の送受信が可能な装置である。また、コントローラ２００は、パワーコンディショナ１００から受信した各種情報を出力可能な出力部２１０を有する。例えば、出力部２１０は、蓄電池５０の残量に関する情報を表示する。また、出力部は２１０、蓄電池５０が検査中かどうかに関する情報を表示してもよい。
【００２２】
例えば、コントローラ２００の出力部２１０は、情報を表示するモニタであってもよいし、情報を音として出力するスピーカであってもよい。なお、コントローラ２００は、パワーコンディショナ１００と一体であってもよい。
【００２３】
蓄電池５０は、住宅ＨＭで用いられる二次電池（バッテリ）である。例えば、蓄電池５０は、パワーコンディショナ１００から供給される電力により充電される。また、例えば、蓄電池５０は、蓄えた電力をパワーコンディショナ１００や分電盤ＤＰを経由して住宅ＨＭ内の電気機器ＬＤに供給する。なお、蓄電池５０は、充電を行うことにより電気を蓄えることができ、繰り返し充放電して使用することが出来る電池であればどのような電池であってもよい。例えば、蓄電池５０としては、リチウムイオン電池や鉛電池やニッケル水素電池など、目的に応じて種々の蓄電池が適宜選択されてもよい。また、蓄電池５０は、電力を蓄える機能を有すればどのような構成であってもよく、例えば、電気自動車やプラグインハイブリッド自動車等であってもよい。
【００２４】
図１〜図３に示すような太陽光発電システム１で用いられる蓄電池５０は、定期的に（例えば１年や半年おきに）蓄電容量等が検査される。例えば、太陽光発電システム１においては、パワーコンディショナ１００が蓄電池５０を検査することにより蓄電池５０の劣化度を確認する。例えば、パワーコンディショナ１００は、蓄電池５０を、残量０％の状態（空の状態）から残量１００％の状態（フル充電の状態）まで充電し、その際の電圧値等の変化により、蓄電池５０を検査する。例えば、パワーコンディショナ１００は、検査時の充電により想定される残量と、検査後の蓄電池５０の実際の残量とを比較することにより、蓄電池５０の劣化度を確認する。このように、蓄電池の検査は、例えば残量０％の状態から１００％の状態まで充電することによって行われるため、蓄電池５０をフル充電するのに必要な電力が消費されることになる。
【００２５】
分電盤ＤＰは、住宅ＨＭの配線に電気を分ける装置である。例えば、分電盤ＤＰは、漏電遮断器や配線用遮断器等の種々の機器を含む。例えば、分電盤ＤＰとは、パワーコンディショナ１００で交流に変換された電力を住宅ＨＭの電気機器ＬＤに供給したり、太陽光パネルＰＮにおいて発電された電力の余剰分を電力会社の電力系統ＣＰへ供給したりする。また、例えば、分電盤ＤＰとは、買電時、すなわち電力系統ＣＰからの電力供給を受けている時は、電力系統ＣＰへ供給された電力を住宅ＨＭの電気機器ＬＤに供給する。
【００２６】
電力メータＭＴは、電力系統ＣＰ側へ供給した電力、すなわち売電した電力や、電力系統ＣＰから供給された電力、すなわち電力系統ＣＰから買電した電力を計量するメータである。例えば、電力メータＭＴは、売電した電力量を計量するメータと、買電した電力を計量するメータとを各々含んでもよい。例えば、電力メータＭＴは、分電盤ＤＰと電力系統ＣＰとの間に設けられ、売電した電力量を計量したり、買電した電力を計量したりする。
【００２７】
ここから、図１を用いて通常時における太陽光発電システム１の動作について説明する。図１は、通常時における太陽光発電システム１の動作の一例を示す図である。なお、ここでいう通常時とは、蓄電池５０の検査時及び蓄電池５０の検査前における放電時以外に対応する。
【００２８】
図１に示すように、太陽光発電システム１の太陽光パネルＰＮは、発電した電力をパワーコンディショナ１００へ供給する（ステップＳ１１）。例えば、太陽光パネルＰＮは、生成した直流電力を、接続箱ＢＸを経由してパワーコンディショナ１００へ供給する。そして、パワーコンディショナ１００は、太陽光パネルＰＮから供給される直流電力を交流電力に変換する。
【００２９】
また、パワーコンディショナ１００は、変換した交流電力を、住宅ＨＭ内での利用や、蓄電池５０への充電や、電力系統ＣＰへの売電などに用いる。例えば、パワーコンディショナ１００は、変換した交流電力により蓄電池５０を充電する（ステップＳ１２）。図１では、蓄電池５０は、残量ＲＡ％（例えば８０％等）であり、十分に充電されており残量が多いことを示す。また、例えば、パワーコンディショナ１００は、変換した交流電力を住宅ＨＭ内の電気機器ＬＤへ供給する（ステップＳ１３）。また、例えば、パワーコンディショナ１００は、変換した交流電力を電力系統ＣＰへ供給することにより、売電する（ステップＳ１４）。
【００３０】
なお、図１に示すステップＳ１１〜Ｓ１４は、説明のための順序であり、いずれのステップが先に行われてもよい。また、ステップＳ１１〜Ｓ１４は、継続して、又は間欠的に行われ、時間的に重複して行われてもよい。また、例えば、ステップＳ１２における蓄電池５０の充電や、ステップＳ１３における電気機器ＬＤへの電力供給や、ステップＳ１４における電力系統ＣＰへの電力供給（売電）は、同時に行われてもよいし、一部が行われなくてもよい。
【００３１】
このように、通常時において、パワーコンディショナ１００は、太陽光パネルＰＮが発電した電力を、住宅ＨＭ内での利用や、蓄電池５０への充電や、電力系統ＣＰへの売電などに用いる。図１では、説明のため、太陽光パネルＰＮが発電した電力を消費する場合を示したが、通常時においては、蓄電池５０が放電を行い、蓄電池５０からの電力が住宅ＨＭ内の電気機器ＬＤへ供給されてもよい。例えば、通常時の夜間等においては、太陽光パネルＰＮが発電する電力が小さくなるため、蓄電池５０からの電力が住宅ＨＭ内の電気機器ＬＤへ供給されたり、電力系統ＣＰからの電力が住宅ＨＭ内の電気機器ＬＤへ供給されたりする。すなわち、通常時においても、パワーコンディショナ１００は、太陽光パネルＰＮが発電する電力が小さい場合、蓄電池５０に放電を行わせたり、電力系統ＣＰからの電力供給を受けたり、すなわち買電したりする。
【００３２】
次に、図２を用いて出力制限前（検査開始前）における太陽光発電システム１の動作について説明する。図２は、検査開始前における太陽光発電システム１の動作の一例を示す図である。なお、ここでいう検査開始前とは、出力制限の対象となる期間が間近になり、蓄電池５０を出力制限に合わせて検査するための準備期間に対応する。
【００３３】
なお、太陽光発電システム１は、どの期間を検査開始前の期間とするかを、蓄電池５０の残量や、住宅ＨＭにおける電力消費に関する履歴情報や太陽光パネルＰＮの発電に関する履歴情報に基づいて、決定してもよい。例えば、太陽光発電システム１は、蓄電池５０の残量が多く、かつ住宅ＨＭにおける電力消費が少ない季節等であれば、検査開始前とする期間を早めてもよい。また、例えば、太陽光発電システム１は、蓄電池５０の残量が少なく、かつ住宅ＨＭにおける電力消費が多い季節等であれば、検査開始前とする期間を遅くしてもよい。なお、太陽光発電システム１は、蓄電池５０の残量が０％となる時が出力制限期間の開始時に近くなるように、検査開始前とする期間を決定する。
【００３４】
図２に示すように、太陽光発電システム１の太陽光パネルＰＮは、発電した電力をパワーコンディショナ１００へ供給する（ステップＳ２１）。例えば、太陽光パネルＰＮは、生成した直流電力を、接続箱ＢＸを経由してパワーコンディショナ１００へ供給する。そして、パワーコンディショナ１００は、太陽光パネルＰＮから供給される直流電力を交流電力に変換する。
【００３５】
また、パワーコンディショナ１００は、変換した交流電力を、住宅ＨＭ内での利用や、電力系統ＣＰへの売電などに用いる。ここで、パワーコンディショナ１００は、検査開始前の期間であるため、蓄電池５０への充電を行わない。そして、パワーコンディショナ１００は、出力制限期に合わせて蓄電池５０の残量が０％になるように、蓄電池５０に放電させる（ステップＳ２２）。そして、パワーコンディショナ１００は、蓄電池５０から供給される直流電力を交流電力に変換する。図２では、蓄電池５０は、残量ＲＢ％（例えば４０％等）であり、放電により徐々に蓄電池５０の残量が減少していることを示す。このように、パワーコンディショナ１００は、出力制限期間に合わせて蓄電池５０の残量が０％になるように蓄電池５０を制御する。すなわち、蓄電池５０は、検査開始予定時前の所定の期間に電力を放電し、残量がなくなるように制御される。
【００３６】
また、例えば、パワーコンディショナ１００は、太陽光パネルＰＮや蓄電池５０から供給された直流電力を変換した交流電力を住宅ＨＭ内の電気機器ＬＤへ供給する（ステップＳ２３）。また、例えば、パワーコンディショナ１００は、変換した交流電力を電力系統ＣＰへ供給することにより、売電する（ステップＳ２４）。
【００３７】
なお、図２に示すステップＳ２１〜Ｓ２４は、説明のための順序であり、いずれのステップが先に行われてもよい。また、ステップＳ２１〜Ｓ２４は、継続して、又は間欠的に行われ、時間的に重複して行われてもよい。また、例えば、ステップＳ２１における太陽光パネルＰＮによる電力供給やステップＳ２２における蓄電池５０の放電は、同時に行われてもよいし、一部が行われなくてもよい。また、例えば、ステップＳ２３における電気機器ＬＤへの電力供給や、ステップＳ２４における電力系統ＣＰへの電力供給（売電）は、同時に行われてもよいし、一部が行われなくてもよい。
【００３８】
次に、図３を用いて出力制限中（検査開始）における太陽光発電システム１の動作について説明する。図３は、出力制限中における太陽光発電システム１の動作の一例を示す図である。なお、図３に示す太陽光発電システム１では、蓄電池５０の残量が０％、すなわち蓄電池５０の残量無くなっているものとする。すなわち、図３に示す出力制限中の太陽光発電システム１においては、蓄電池５０の検査が可能な状態になっているものとする。
【００３９】
ここで、図３の例では、出力制限中であるため、電力系統ＣＰ側への電力を出力することが抑制される（ステップＳ３０）。図３の例では、太陽光発電システム１が出力制限の対象に該当し出力制限中であるため、太陽光発電システム１は、電力系統ＣＰ側への出力が制限され、電力系統ＣＰへ電力を供給することができないものとする。
【００４０】
図３に示すように、太陽光発電システム１の太陽光パネルＰＮは、発電した電力をパワーコンディショナ１００へ供給する（ステップＳ３１）。例えば、太陽光パネルＰＮは、生成した直流電力を、接続箱ＢＸを経由してパワーコンディショナ１００へ供給する。そして、パワーコンディショナ１００は、太陽光パネルＰＮから供給される直流電力を交流電力に変換する。
【００４１】
また、パワーコンディショナ１００は、変換した交流電力を、蓄電池５０の検査や、電力を住宅ＨＭ内での利用に用いる。上述のように、図３では、蓄電池５０の残量が０％、すなわち蓄電池５０の残量が無くなっているため、パワーコンディショナ１００は、変換した交流電力により蓄電池５０を検査する（ステップＳ３２）。また、例えば、パワーコンディショナ１００は、変換した交流電力を住宅ＨＭ内の電気機器ＬＤへ供給する（ステップＳ３３）。このとき、パワーコンディショナ１００は、電力系統ＣＰからの電力供給を受けないように、すなわち買電しないように、変換した交流電力を住宅ＨＭ内の電気機器ＬＤへ供給し、蓄電池５０を検査するが、詳細は後述する。
【００４２】
なお、図３に示すステップＳ３１〜Ｓ３３は、説明のための順序であり、いずれのステップが先に行われてもよい。また、ステップＳ３１〜Ｓ３３は、継続して、又は間欠的に行われ、時間的に重複して行われてもよい。また、例えば、ステップＳ３２における蓄電池５０の検査や、ステップＳ３３における電気機器ＬＤへの電力供給は、同時に行われてもよいし、電気機器ＬＤへの電力供給は行われなくてもよい。上記例においては、パワーコンディショナ１００が蓄電池５０を検査する機能を有する場合を説明したが、蓄電池５０を検査可能であれば、蓄電池５０を検査する機能はどの装置が有してもよい。例えば、太陽光発電システム１は、蓄電池５０を検査する機能を有する検査装置をパワーコンディショナ１００とは別に有してもよい。この場合、蓄電池５０を検査する機能を有する検査装置は、パワーコンディショナ１００と連携して蓄電池５０を検査するタイミングや蓄電池に供給する電力を決定してもよい。
【００４３】
上述したように、太陽光発電システム１は、検査開始前において、出力制限期間に合わせて蓄電池５０の残量が０％になるように蓄電池５０を制御する。太陽光発電システム１は、出力制限期間に合わせて蓄電池５０の残量が０％になるように蓄電池５０に放電させる。また、太陽光発電システム１は、出力制限中において、太陽光パネルＰＮにより発電した電力を用いて蓄電池５０を検査する。これにより、太陽光発電システム１は、出力制限時において出力制限の対象に該当する自システムにより発電された電力を適切に活用することができる。
【００４４】
［パワーコンディショナの構成例］
次に、図４を用いて、実施形態に係るパワーコンディショナ１００の構成について説明する。図４は、実施形態に係るパワーコンディショナの構成を示すブロック図である。なお、図４には、実施形態に係るパワーコンディショナの構成のうち、蓄電池の検査に必要な構成のみを図示し、他のパワーコンディショナの構成については図示を省略する。図４に示すように、パワーコンディショナ１００は、通信部１１０と、記憶部１２０と、制御部１３０とを有する。
【００４５】
通信部１１０は、例えば、所定の通信回路等によって実現される。例えば、通信部１１０は、コントローラと通信可能である。
【００４６】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図４に示すように、検査情報記憶部１２１を有する。
【００４７】
検査情報記憶部１２１は、検査に関する情報を記憶する。図５は、実施形態に係る検査情報記憶部に記憶される情報の一例を示す図である。具体的には、図５は、太陽光発電システム１における蓄電池５０を検査するタイミングの決定に利用される情報の一例を示す。図５に示すように、検査情報記憶部１２１は、検査に関する情報として、「日付ＩＤ」といった項目や、「９時台」、「１０時台」など各時間帯に対応する項目を有する。なお、検査情報記憶部１２１が有する項目は上記に限らず、検査情報記憶部１２１は、目的に応じて種々の情報を記憶してもよい。例えば、検査情報記憶部１２１は、蓄電池５０の残量の予測に関する情報を記憶してもよい。
【００４８】
「日付ＩＤ」は、日付を識別するための情報を示す。例えば、「日付ＩＤ」は、その時点から将来の日付を識別するための情報を示す。「９時台」は、対応する日付における９時の発電や電力消費に関する各種情報の項目が含まれる。「１０時台」は、対応する日付における１０時の発電や電力消費に関する各種情報の項目が含まれる。例えば、図５の例では、各時間帯に対応する項目として、「発電量（予測）」、「消費量（予測）」、「出力制限」といった項目を有する。
【００４９】
例えば、図５の例において、日付ＩＤ「ＴＭ１１」により識別される日付においては、９時台に予測される発電量がＥＧ１１であり、９時台に予測される電力の消費量がＰＣ１１であることを示す。また、日付ＩＤ「ＴＭ１１」により識別される日付においては、９時台に出力制限に「１」が記憶されており、日付ＩＤ「ＴＭ１１」により識別される日付の９時台は、太陽光発電システム１が出力制限の対象に該当することを示す。
【００５０】
また、例えば、図５の例において、日付ＩＤ「ＴＭ１２」により識別される日付においては、１０時台に予測される発電量がＥＧ２２であり、１０時台に予測される電力の消費量がＰＣ２２であることを示す。また、日付ＩＤ「ＴＭ１２」により識別される日付においては、１０時台に出力制限に「０」が記憶されており、日付ＩＤ「ＴＭ１２」により識別される日付の１０時台は、太陽光発電システム１が出力制限の対象外であることを示す。
【００５１】
図４の説明に戻って、制御部１３０は、各種の処理手順などを規定したプログラム及び所要データを格納するための内部メモリを有し、これらによって種々の処理を実行するが、特に本発明に密接に関連するものとしては、受信部１３１、検査部１３２、及び送信部１３３を有する。
【００５２】
受信部１３１は、外部装置から各種情報を受信する。例えば、受信部１３１は、コントローラ２００からコントローラ２００に関する情報を受信してもよい。例えば、受信部１３１は、コントローラ２００からユーザの操作に関する情報を受信してもよい。また、受信部１３１は、ユーザが利用する端末装置から各種情報を受信してもよい。例えば、受信部１３１は、ユーザが利用するスマートフォンから各種情報を受信してもよい。
【００５３】
検査部１３２は、蓄電池５０を検査する。例えば、検査部１３２は、電力系統ＣＰ側への出力が制限された出力制限時において出力制限の対象に該当する所定の発電システムにより発電された電力により、蓄電池５０を検査する。図３の例では、検査部１３２は、出力制限時において出力制限の対象に該当する太陽光発電システム１の太陽光パネルＰＮにより発電された電力により、蓄電池５０を検査する。
【００５４】
また、検査部１３２は、所定の発電システムにより発電された電力の使用が少ない時間帯に、蓄電池５０を検査してもよい。例えば、検査部１３２は、太陽光発電システム１により発電された電力の使用が少ない時間帯に、蓄電池５０を検査してもよい。また、検査部１３２は、所定の発電システムにより発電された電力における余剰電力により、蓄電池５０を検査してもよい。例えば、検査部１３２は、太陽光発電システム１により発電された電力における余剰電力により、蓄電池５０を検査してもよい。また、検査部１３２は、蓄電池５０が用いられる電力供給に関する情報を用いた学習に基づいて決定される電力により蓄電池５０を検査してもよい。例えば、検査部１３２は、過去の電力の発電や消費に関する履歴情報や検査情報記憶部１２１に記憶された情報に基づく学習により、検査に用いる電力を予測するモデルを生成してもよい。例えば、検査部１３２は、検査中に電力系統ＣＰから電力供給を受けないように検査可能な電力を予測するモデルを生成してもよい。例えば、検査部１３２は、検査中に電気機器ＬＤ等で消費される電力と検査で消費される電力とが太陽光パネルＰＮにより発電される電力を超えないように、検査に用いる電力を予測するモデルを生成してもよい。例えば、検査部１３２は、生成したモデルを用いて、検査に用いる電力を決定してもよい。なお、上記の学習は一例であり、検査部１３２は、種々の目的に応じてモデルを生成し、生成したモデルを用いて蓄電池５０の検査を行うタイミングや供給する電力等を決定してもよい。
【００５５】
送信部１３３は、外部装置に各種情報を送信する。例えば、送信部１３３は、コントローラ２００に通知させる情報をコントローラ２００に送信する。例えば、送信部１３３は、通知させる情報として、現在の発電状況等を示す情報をコントローラ２００へ送信してもよい。また、例えば、送信部１３３は、コントローラ２００におけるユーザ操作に基づいて、現在の発電状況等を示す情報をコントローラ２００へ送信してもよい。
【００５６】
［蓄電池の検査の処理］
次に、図６〜図８を用いて、太陽光発電システム１における検査に関する蓄電池の放電や充電に関する処理の流れについて説明する。図６は、実施形態に係る出力制限期間に応じた蓄電池の放電の一例を示す図である。図７は、実施形態に係る低消費電力期間に応じた蓄電池の放電の一例を示す図である。図８は、実施形態に係る消費電力に応じた蓄電池への電力供給の一例を示す図である。
【００５７】
まず、図６を用いて、出力制限期間に応じた蓄電池の放電の処理の流れについて説明する。図６中の実線ＢＬ１１は、各時刻に対応する蓄電池５０の出力可能電力を示す。図６に示す例においては、時刻ｔ１１から出力制限期間ＬＴ１１が開始するものとする。この場合、パワーコンディショナ１００は、出力制限期間ＬＴ１１が開始する時刻ｔ１１に蓄電池５０の残量が０％になるように、すなわち蓄電池５０の検査が開始できるように、蓄電池５０の放電を行う。図６の例では、パワーコンディショナ１００は、時刻０における蓄電池５０の出力可能電力Ｐ１０が、時刻ｔ１１に０になるように蓄電池５０の放電を行う。例えば、パワーコンディショナ１００は、図５に示すような蓄電池５０を検査するタイミングの決定に利用される情報を用いて、時刻ｔ１１に０になるように蓄電池５０の放電を行う。
【００５８】
図６の例では、パワーコンディショナ１００は、時刻ｔ１２において蓄電池５０の出力可能電力が０、すなわち蓄電池５０を検査可能な状態にする。なお、図６に示す時刻ｔ１２は一例であり、パワーコンディショナ１００は、出力制限期間ＬＴ１１が開始する時刻ｔ１１にできるだけ近い時刻において、蓄電池５０の出力可能電力が０、すなわち蓄電池５０を検査可能な状態にする。
【００５９】
蓄電池５０を検査可能な状態になった後、パワーコンディショナ１００は、蓄電池５０の検査を開始する。図６の例では、パワーコンディショナ１００は、時刻ｔ１２から蓄電池５０を検査する。これにより、パワーコンディショナ１００は、出力制限期間ＬＴ１１において、蓄電池５０を検査することができる。
【００６０】
次に、図７を用いて、低消費電力期間に応じた蓄電池の放電の処理の流れについて説明する。図７中の実線ＢＬ２１は、各時刻に対応する蓄電池５０の出力可能電力を示す。また、図７中の一点鎖線ＣＬ２１は、各時刻に対応する住宅ＨＭにおける消費電力を示す。図７の例では、住宅ＨＭにおける消費電力は、時刻０から時刻ｔ２２までは消費電力Ｐ２１であり、時刻ｔ２２から時刻ｔ２３までは消費電力Ｐ２２であり、時刻ｔ２３以降は消費電力Ｐ２３である。ここで、消費電力Ｐ２１〜Ｐ２３の関係は、Ｐ２２＜Ｐ２１＜Ｐ２３であり、消費電力Ｐ２２が最も低い。そのため、図７の例では、消費電力Ｐ２２である時刻ｔ２２から時刻ｔ２３までの期間が低消費電力期間ＬＴ２１となる。
【００６１】
そこで、パワーコンディショナ１００は、低消費電力期間ＬＴ２１になる時刻ｔ２２に蓄電池５０の残量が０％になるように、すなわち蓄電池５０の検査が開始できるように、蓄電池５０の放電を行う。図７の例では、パワーコンディショナ１００は、時刻０における蓄電池５０の出力可能電力Ｐ２０が、時刻ｔ２２に０になるように蓄電池５０の放電を行う。例えば、パワーコンディショナ１００は、図５に示すような蓄電池５０を検査するタイミングの決定に利用される情報を用いて、時刻ｔ２２に０になるように蓄電池５０の放電を行う。
【００６２】
図７の例では、パワーコンディショナ１００は、時刻ｔ２１において蓄電池５０の出力可能電力が０、すなわち蓄電池５０を検査可能な状態にする。なお、図７に示す時刻ｔ２１は一例であり、パワーコンディショナ１００は、低消費電力期間ＬＴ２１が開始する時刻ｔ２２にできるだけ近い時刻において、蓄電池５０の出力可能電力が０、すなわち蓄電池５０を検査可能な状態にする。
【００６３】
蓄電池５０を検査可能な状態になった後、パワーコンディショナ１００は、蓄電池５０の検査を開始する。図７の例では、パワーコンディショナ１００は、時刻ｔ２１から蓄電池５０を検査する。これにより、パワーコンディショナ１００は、低消費電力期間ＬＴ２１において、蓄電池５０を検査することができる。なお、上記の図６及び図７においては、出力制限期間と低消費電力期間とを分けて説明したが、パワーコンディショナ１００は、出力制限期間と低消費電力期間とが重なる期間において、蓄電池５０を検査する。
【００６４】
次に、図８を用いて、実施形態に係る消費電力に応じた蓄電池への電力供給の処理の流れについて説明する。図８中の実線ＢＬ３１は、各時刻に対応する蓄電池５０の出力可能電力を示す。また、図８中の一点鎖線ＣＬ３１は、各時刻に対応する住宅ＨＭにおける消費電力を示す。図８の例では、住宅ＨＭにおける消費電力は、時刻０から時刻ｔ３２までは消費電力Ｐ３１であり、時刻ｔ３２から時刻ｔ３３までは消費電力Ｐ３２であり、時刻ｔ３３以降は消費電力Ｐ３３である。
【００６５】
図８の例では、パワーコンディショナ１００は、時刻ｔ３１において蓄電池５０の出力可能電力が０、すなわち蓄電池５０を検査可能な状態にする。なお、図８に示す時刻ｔ３１は一例であり、パワーコンディショナ１００は、蓄電池５０を検査する期間に出力制限期間や低消費電力期間ができるだけ含まれるように、蓄電池５０の出力可能電力を０、すなわち蓄電池５０を検査可能な状態にする。
【００６６】
ここで、図８の例では、太陽光パネルＰＮが発電する電力を発電電力ＰＮとした場合、蓄電池５０を検査するために供給する電力である検査電力ＰＤと、住宅ＨＭにおける消費電力Ｐ３１〜Ｐ３３の合計が、発電電力ＰＮを超えないように検査電力ＰＤを調整する。なお、以下では、時刻ｔ３１以降の発電電力ＰＮは一定であるものとして説明する。
【００６７】
例えば、時刻ｔ３１から時刻ｔ３２においては、住宅ＨＭにおける消費電力Ｐ３１と検査電力ＰＤとの合計が、発電電力ＰＮを超えないように検査電力ＰＤを調整する。また、例えば、時刻ｔ３２から時刻ｔ３３においては、住宅ＨＭにおける消費電力Ｐ３２と検査電力ＰＤとの合計が、発電電力ＰＮを超えないように検査電力ＰＤを調整する。ここで、消費電力Ｐ３２は消費電力Ｐ３１よりも小さいため、時刻ｔ３２から時刻ｔ３３における検査電力ＰＤは、時刻ｔ３１から時刻ｔ３２における検査電力ＰＤよりも大きい。すなわち、パワーコンディショナ１００は、時刻ｔ３２から時刻ｔ３３においては、時刻ｔ３１から時刻ｔ３２よりもより多くの電力を用いて、蓄電池５０を検査可能となる。
【００６８】
また、例えば、時刻ｔ３３以降は、住宅ＨＭにおける消費電力Ｐ３３と検査電力ＰＤとの合計が、発電電力ＰＮを超えないように検査電力ＰＤを調整する。ここで、消費電力Ｐ３３は消費電力Ｐ３２よりも大きいため、時刻ｔ３３以降における検査電力ＰＤは、時刻ｔ３２から時刻ｔ３３における検査電力ＰＤよりも小さくなる。このように、図８においては、パワーコンディショナ１００は、蓄電池５０を検査するために供給する電力である検査電力ＰＤと、住宅ＨＭにおける消費電力Ｐ３１〜Ｐ３３の合計が、発電電力ＰＮを超えないように検査電力ＰＤを調整する。すなわち、パワーコンディショナ１００は、発電電力ＰＮを住宅ＨＭにおける消費電力Ｐ３１〜Ｐ３３で使用した残りの電力（余剰電力）により、蓄電池５０を検査する。これにより、太陽光発電システム１は、電力系統ＣＰからの電力供給を受けることなく、すなわち買電することなく、蓄電池５０を検査可能となる。なお、図６〜図８においては、説明を簡単にするために、蓄電池の検査に関する放電や充電に関する処理を各条件に分けた場合を説明したが、パワーコンディショナ１００は、図６〜図８に示す処理を組み合わせて、適切なタイミングで適切な電力供給を行うことにより、蓄電池５０を検査する。
【００６９】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００７０】
１        太陽光発電システム（蓄電システム）
５０      蓄電池
１００    パワーコンディショナ
１１０    通信部
１２０    記憶部
１２１    検査情報記憶部
１３０    制御部
１３１    受信部
１３２    検査部
１３３    送信部
ＰＮ      太陽光パネル
【図１】
2017063552.tif 000003
【図２】
2017063552.tif 000004
【図３】
2017063552.tif 000005
【図４】
2017063552.tif 000006
【図５】
2017063552.tif 000007
【図６】
2017063552.tif 000008
【図７】
2017063552.tif 000009
【図８】
2017063552.tif 000010